(57)【要約】【課題】  座った際に安定した姿勢をとることができるクッション部材を提供すること。【解決手段】  弾性材料により形成されているクッション部材１００の厚さ方向に貫通するように形成されている第一の貫通孔１０１Ａと第二の貫通孔４０１Ｂが、使用者の太ももの外側のラインに沿うように所定の間隔Ｘを離して形成されることで、これらの貫通孔１０１Ａ、１０１Ｂの部分でクッション部材１００が折れ曲がり、太ももの部分を外側から内側に押圧するようにサポートすることができる。【選択図】    図１
0003109914.tif 000002
【実用新案登録請求の範囲】
【請求項１】
弾性材料よりなり、使用者の臀部及び太ももが接触する上面を有するクッション部材であって、
前記上面には、前記クッション部材の厚さ方向に貫通する貫通孔又は前記クッション部材の厚さ方向に凹となる溝が、所定の間隔を離して二つ形成されており、
前記貫通孔又は前記溝は、使用者の太ももの外側のラインに沿うように形成されていることを特徴とするクッション部材。
【請求項２】
前記間隔は、１２０ｍｍ〜２８０ｍｍにされていることを特徴とする請求項１に記載のクッション部材。
【請求項３】
前記貫通孔又は前記溝は、同一方向に延びるように直線状に形成されていることを特徴とする請求項１又は２に記載のクッション部材。
【請求項４】
前記貫通孔又は前記溝は、それぞれに向かって凹となるように曲線状に形成されていることを特徴とする請求項１又は２に記載のクッション部材。
【請求項５】
前記上面には、前記臀部の形状に対応させて曲面状に形成された凹部が形成されており、
前記貫通孔又は前記溝は、前記凹部の内側に形成されていることを特徴する請求項１乃至４の何れか一項に記載のクッション部材。
【考案の詳細な説明】
【技術分野】
【０００１】
本考案は、クッション部材に関する。
【背景技術】
【０００２】
従来から、イスなどに座る場合には、クッションが利用されている。
【０００３】
そして、従来のクッションにおいては、例えば、実開平３−１２９３５２号公報に記載されているクッション５００（図５参照）のように、クッションの表面に臀部の形状に対応して形成された凹部５０１を形成することで、臀部を支えることができるようにしたものが使用されていた。
【考案の開示】
【考案が解決しようとする課題】
【０００４】
しかしながら、従来のクッション５００のように、臀部の形状に対応して形成された凹部５０１を形成したクッション５００では、臀部は支持されても、太ももの部分については支持されておらず、座った際に安定した姿勢をとることができなかった。
【０００５】
そこで、本考案は、座った際に安定した姿勢をとることができるクッション部材を提供することを目的とする。
【課題を解決するための手段】
【０００６】
以上の課題を解決するため、本考案は、弾性材料よりなり、使用者の臀部及び太ももが接触する上面を有するクッション部材であって、前記上面には、前記クッション部材の厚さ方向に貫通する貫通孔又は前記クッション部材の厚さ方向に凹となる溝が、所定の間隔を離して二つ形成されており、前記貫通孔又は前記溝は、使用者の太ももの外側のラインに沿うように形成されていることを特徴とするクッション部材を提供する。
【０００７】
このような貫通孔又は溝を二つ形成しておくことで、座った際にこの貫通孔又は溝の部分でクッション部材が内側に折れ曲がることで太ももの部分を支持することができるため、安定した姿勢で座ることができるようになる。
【０００８】
ここで、貫通孔又は溝同士の間の間隔は、クッション部材の使用者の太ももの外側のラインに対応させて適宜選択することができるが、本考案者が鋭意研究したところによると、貫通孔又は溝の間の間隔は、１２０ｍｍ〜２８０ｍｍにすることで、クッション部材の一般的な使用者の太ももの外側のラインに貫通孔又は溝が沿うようになる。
【０００９】
なお、貫通孔又は溝の形状についても、クッション部材の使用者の太ももの外側のラインに合わせて適宜選択可能であるが、例えば、貫通孔又は溝が同一方向に延びるように直線状に形成することにより、太ももの外側のラインに沿うようになる。
【００１０】
また、クッション部材に座るとクッションに押されて太ももの部分は外側に広がるため、貫通孔又は溝をそれぞれに向かって凹となるように湾曲した曲線状に形成することも可能である。
【００１１】
ここで、クッション部材の上面には、臀部の形状に対応させた曲面状の凹部を形成しておき、この凹部の内側に貫通孔又は溝を形成することも可能である。
【考案の効果】
【００１２】
以上のように、本考案によれば、クッション部材の厚さ方向に貫通する貫通孔又はクッション部材の厚さ方向に凹となる溝が太ももの外側のラインに沿って形成されているため、クッションに座った際に、この貫通孔又は溝の部分で折れ曲がり、太ももの部分を支持するため、安定した姿勢で座ることができるようになる。
【００１３】
また、これらの貫通孔又は溝を直線状又は曲線状に形成することで、太ももの外側のラインに沿うようになる。
【００１４】
さらに、臀部の形状に対応して形成された凹部の内側に、貫通孔又は溝を形成することで、貫通孔又は溝が好適な位置となるように座すことが可能となる。
【考案を実施するための最良の形態】
【００１５】
図１は、本考案の第一の実施形態に係るクッション部材１００の斜視図である。
【００１６】
本実施形態に係るクッション部材１００は、弾性を有する発泡ポリウレタンにより平板状に形成されており、その上面１００ａには、第一の貫通孔１０１Ａと第二の貫通孔１０１Ｂとが形成されている。
【００１７】
ここで、平板状に形成されているクッション部材１００の大きさについては、このクッション部材１００の使用者が座ることのできる範囲で適宜選択することができる設計事項である。
【００１８】
また、クッション部材１００の高さや発泡ポリウレタンの弾性力についても、このクッション部材１００の使用者にとって適当な座り心地を得られる範囲で適宜選択することができる設計事項である。
【００１９】
第一の貫通孔１０１Ａと第二の貫通孔１０１Ｂとは、クッション部材１００の厚さ方向に貫通するように形成されている。
【００２０】
第一の貫通孔１０１Ａと第二の貫通孔１０１Ｂは、ともに同じ方向に延びるような直線状に形成されており、これらの間の間隔Ｘは、１５０ｍｍに形成されており、これらの貫通孔１０１Ａ、１０１Ｂの幅Ｙについては、６０ｍｍに形成されている。
【００２１】
なお、第一の貫通孔１０１Ａ及び第二の貫通孔１０１Ｂの角は、面取され、または、曲面状に形成されている。
【００２２】
以上のように本実施形態に係るクッション部材１００を形成したので、このクッション部材１００の使用者の太ももの外側のラインが第一の貫通孔１０１Ａと第二の貫通孔１０１Ｂに沿うように座ることにより、これらの貫通孔１０１Ａ、１０１Ｂが太ももの外側のラインの沿って折れ曲がり、太ももを外側から内側に押圧して支持し、安定した姿勢で座ることができるようになる。
【００２３】
本実施形態に係るクッション部材１００は、発泡ポリウレタンにより形成しているが、適度な弾力性を有するものであれば、他の材料、例えば、合成ゴムや塩化ビニル発泡体等を使用することも可能であり、また、カバーの内側に水等の液体や樹脂製の粒状体等を入れることにより適度な弾性力を備えるようにしてもよい。
【００２４】
また、本実施形態に係るクッション部材１００は、平板状に形成されているが、この形状についても、例えば、円形、楕円形等の他の形状を選択することも可能である。
【００２５】
さらに、本実施形態においては、第一の貫通孔１０１Ａと第二の貫通孔１０１Ｂとの間の間隔Ｘを１５０ｍｍに形成しているが、この間隔についても使用者の太ももの外側のラインに合わせて適宜選択可能であるが、１２０ｍｍ〜２８０ｍｍの間から選択するのが好適である。
【００２６】
また、これらの第一の貫通孔１０１Ａ及び第二の貫通孔１０１Ｂの幅Ｙについては、６０ｍｍに形成されているが、この幅についても、使用者が座った際にクッション部材が折れ曲がることができる範囲で、適宜選択することができる設計事項である。
【００２７】
図２は、本考案の第二の実施形態に係るクッション部材２００の斜視図である。
【００２８】
本実施形態に係るクッション部材２００は、第一の実施形態と同様に、弾性を有する発泡ポリウレタンにより平板状に形成されており、その上面２００ａには、第一の溝２０２Ａと第二の溝２０２Ｂとが形成されている。
【００２９】
ここで、平板状に形成されているクッション部材２００の大きさについては、このクッション部材２００の使用者が座ることのできる範囲で適宜選択することができる設計事項であり、また、クッション部材２００の高さや発泡ポリウレタンの弾性力についても、このクッション部材２００の使用者にとって適当な座り心地を得られる範囲で適宜選択することができる設計事項である。
【００３０】
第一の溝２０２Ａと第二の溝２０２Ｂとは、クッション部材２００の厚さ方向に凹となるように形成されており、その深さＺは、クッション部材２００の使用者が座った場合に、これらの溝２０２Ａ、２０２Ｂの部分で折れ曲がり、使用者の太ももの部分をサポートすることができる範囲で適時選択することができる設計事項であるが、本実施形態においては、３０ｍｍの深さとなるようにしている。
【００３１】
第一の溝２０２Ａと第二の溝２０２Ｂとは、ともに一方向に延びる直線状に形成されており、第一の溝２０２Ａの延びる方向Ｓと第二の溝２０２Ｂの延びる方向Ｔとの間の角度αは、２０度となるように形成している。
【００３２】
また、これらの溝２０２Ａ、２０２Ｂの間の間隔は、最も狭い部分（溝２０２Ａ、２０２Ｂの一端）の間隔Ｘ’が１２０ｍｍ、最も広い部分（溝２０２Ａ、２０２Ｂの他端）の間隔Ｘ’’が２００ｍｍ、となるように形成されており、これらの溝２０２Ａ、２０２Ｂの幅Ｙについては、６０ｍｍに形成されている。
【００３３】
以上のように本実施形態に係るクッション部材２００を構成したので、このクッション部材２００の使用者の太ももの外側のラインが第一の溝２０２Ａと第二の溝２０２Ｂに沿うように座ることにより、これらの溝２０２Ａ、２０２Ｂが太ももの外側のラインの沿って折れ曲がり、太ももを外側から内側に押圧して支持し、安定した姿勢で座ることができるようになる。
【００３４】
また、本実施形態では、第一の溝２０２Ａの延びる方向と第二の溝２０２Ｂの延びる方向との間の角度が２０度となるように形成しているため、足を開いて座った場合でも、太ももの部分がサポートされる。
【００３５】
本実施形態に係るクッション部材２００は、発泡ポリウレタンにより形成しているが、適度な弾力性を有するものであれば、他の材料、例えば、合成ゴムや塩化ビニル発泡体等を使用することも可能であり、また、カバーの内側に水等の液体や樹脂製の粒状体等を入れることにより適度な弾性力を備えるようにしてもよい。
【００３６】
また、本実施形態に係るクッション部材２００は、平板状に形成されているが、この形状についても、例えば、円形等他の形状を選択することも可能である。
【００３７】
さらに、第一の溝２０２Ａと第二の溝２０２Ｂとの間の間隔についても適宜選択可能であるが、１２０ｍｍ〜２８０ｍｍの間に納めることが望ましい。
【００３８】
また、第一の溝２０２Ａの延びる方向と第二の溝２０２Ｂの延びる方向との間の角度も適宜変更することができる設計事項であるが、これらの角度は鋭角であることが望ましい。
【００３９】
さらに、これらの第一の溝２０２Ａ及び第二の溝２０２Ｂの幅Ｙについても、使用者の太ももの外側のラインに沿ってクッション部材２００が折れ曲がる範囲で適宜選択することができる設計事項である。
【００４０】
図３は、本考案の第三の実施形態に係るクッション部材３００の斜視図である。
【００４１】
本実施形態に係るクッション部材３００は、第一の実施形態と比べて、クッション部材３００の上面３００ａに凹部３０３が形成されている以外は、第一の実施形態と同様であるため、以下、この凹部３０３に関する事項についてのみ説明する。
【００４２】
本実施形態においては、クッション部材３００の上面３００ａに、クッション部材３００の使用者の臀部の形状に合わせて、曲面状の凹部３０３が形成されている。
【００４３】
ここで、凹部３０３の形状及び大きさについては、その使用者の臀部の大きさ・形状に合わせて適宜変更することができる設計事項である。
【００４４】
また、クッション部材３００の厚さ方向に貫通するように形成されている第一の貫通孔１０１Ａ及び第二の貫通孔１０１Ｂについては、凹部３０３の内側に形成されている。
【００４５】
以上のように本実施形態に係るクッション部材３００を形成したので、このクッション部材３００の使用者の太ももの外側のラインが第一の貫通孔１０１Ａと第二の貫通孔１０１Ｂに沿うように座ることにより、これらの貫通孔１０１Ａ、１０１Ｂが太ももの外側のラインの沿って折れ曲がり、太ももを外側から内側に押圧して支持し、安定した姿勢で座ることができるようになる。
【００４６】
また、本実施形態においては、クッション部材３００の上面３００ａに、臀部の形状に対応して形成された凹部３０３が形成されているため、この凹部３０３に臀部が位置するように座ることで、第一の貫通孔１０１Ａ及び第二の貫通孔１０１Ｂが太ももの外側のラインに沿うように座ることができ、クッション部材３００への座る位置を容易に把握することができる。
【００４７】
図４は、本考案の第三の実施形態に係るクッション部材４００の斜視図である。
【００４８】
本実施形態に係るクッション部材４００は、第三の実施形態と比べて、クッション部材４００の厚さ方向に貫通するように形成された第一の貫通孔４０１Ａ及び第二の貫通孔４０１Ｂの形状が異なる以外は、第三の実施形態と同様であるため、以下、これらの貫通孔４０１Ａ、４０１Ｂに関する事項についてのみ説明する。
【００４９】
本実施形態においては、クッション部材４００の厚さ方向に貫通するように形成されている第一の貫通孔４０１Ａ及び第二の貫通孔４０１Ｂが、お互いに向かって凹となるように曲線状に形成されている。
【００５０】
これは、クッション部材４００に座った際には、使用者の太ももがクッション部材に押圧されて外側に膨らむことを考慮して、その使用者の太ももの外側のラインに合わせたものであり、このような目的を達成することができる範囲で、この曲線の形状を適宜変更することができる。
【００５１】
以上のように本実施形態に係るクッション部材４００を形成したので、このクッション部材４００の使用者の太ももの外側のラインが第一の貫通孔４０１Ａと第二の貫通孔４０１Ｂに沿うように座ることにより、これらの貫通孔４０１Ａ、４０１Ｂが太ももの外側のラインの沿って折れ曲がり、太ももを外側から内側に押圧して支持し、安定した姿勢で座ることができるようになる。
【００５２】
また、本実施形態においては、第三の実施形態と同様に、クッション部材４００の上面４００ａに、臀部の形状に対応して形成された凹部３０３が形成されているため、この凹部３０３に臀部が位置するように座ることで、第一の貫通孔４０１Ａ及び第二の貫通孔４０１Ｂが太ももの外側のラインに沿うようになり、クッション部材４００への座る位置を容易に把握することができる。
【００５３】
さらに、本実施形態においては、第一の貫通孔４０１Ａ及び第二の貫通孔４０１Ｂが互いに向かって凹となるような曲線状に形成されており、使用者の太ももの外側のラインに沿うように形成されているため、より太ももをサポートすることができるようになる。
【図面の簡単な説明】
【００５４】
【図１】第一の実施形態に係るクッション部材１００の斜視図。
【図２】第二の実施形態に係るクッション部材２００の斜視図。
【図３】第三の実施形態に係るクッション部材３００の斜視図。
【図４】第四の実施形態に係るクッション部材４００の斜視図。
【図５】従来のクッション５００の斜視図。
【符号の説明】
【００５５】
１００、２００、３００、４００  クッション部材
１０１、４０１  貫通孔
２０２  溝
３０３  凹部
【図１】
0003109914.tif 000003
【図２】
0003109914.tif 000004
【図３】
0003109914.tif 000005
【図４】
0003109914.tif 000006
【図５】
0003109914.tif 000007